【手続補正書】
【提出日】平成19年7月30日(2007.7.30)
【手続補正１】
【補正対象書類名】特許請求の範囲
【補正対象項目名】請求項１
【補正方法】変更
【補正の内容】
【請求項１】
ＩＰネットワークに接続されたＩＰ電話装置と、前記ＩＰ電話装置に割り当てられた電話番号に対応して設定された留守番電話機能を制御するための制御情報を登録し前記ＩＰ電話装置からの要求に応じて当該制御情報を応答するＷｅｂサーバと、前記Ｗｅｂサーバに登録された制御情報へのリンク情報がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する留守番電話機能を制御するための制御情報を前記Ｗｅｂサーバに要求し、返送された制御情報に応じて留守番電話機能を制御することを特徴とするＩＰ電話システム。
【手続補正２】
【補正対象書類名】特許請求の範囲
【補正対象項目名】請求項４
【補正方法】変更
【補正の内容】
【請求項４】
前記ＥＮＵＭサーバに登録されたＮＡＰＴＲリソースレコードにはｈｔｔｐプロトコルが設定され、前記着信を受けたＩＰ電話装置は、ｈｔｔｐプロトコルに従って前記着信対象の電話番号に対応する留守番電話機能を制御するための制御情報を前記Ｗｅｂサーバに要求することを特徴とする請求項１記載のＩＰ電話システム。
【手続補正３】
【補正対象書類名】特許請求の範囲
【補正対象項目名】請求項６
【補正方法】変更
【補正の内容】
【請求項６】
ＩＰネットワーク上のＩＰ電話装置に割り当てられた電話番号に対応して設定された留守番電話機能を制御するための制御情報を登録するＷｅｂサーバ及び前記Ｗｅｂサーバに登録された制御情報へのリンク情報がＵＲＩに指定されたＮＡＰＴＲリソースレコードを登録するＥＮＵＭサーバに接続されたＩＰ電話装置であって、ＩＰネットワーク上の他のＩＰ電話装置から着信を受けると、着信対象の電話番号に応じてＮＡＰＴＲリソースレコードを前記ＥＮＵＭサーバに問い合わせる問合せ手段と、返送されたＮＡＰＴＲリソースレコードのＵＲＩに指定されたリンク情報に基づいて前記着信対象の電話番号に対応する留守番電話機能を制御するための制御情報を前記Ｗｅｂサーバに要求する要求手段と、返送された制御情報に応じて留守番電話機能を制御する制御手段と、を具備することを特徴とするＩＰ電話装置。
【手続補正４】
【補正対象書類名】特許請求の範囲
【補正対象項目名】請求項９
【補正方法】変更
【補正の内容】
【請求項９】
ＩＰネットワーク上のＩＰ電話装置に割り当てられた電話番号に対応して設定された留守番電話機能を制御するための制御情報を登録するＷｅｂサーバ及び前記Ｗｅｂサーバに登録された制御情報へのリンク情報がＵＲＩに指定されたＮＡＰＴＲリソースレコードを登録するＥＮＵＭサーバに接続されたＩＰ電話装置を用いた伝言メッセージ録音方法であって、ＩＰネットワーク上の他のＩＰ電話装置から着信を受けると、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する留守番電話機能を制御するための制御情報を前記Ｗｅｂサーバに要求し、返送された制御情報に応じて留守番電話機能を制御することを特徴とする伝言メッセージ録音方法。
【手続補正５】
【補正対象書類名】特許請求の範囲
【補正対象項目名】請求項１２
【補正方法】変更
【補正の内容】
【請求項１２】
自端末に割り当てられた電話番号に対応するＵＲＩ及び当該電話番号に対応して設定された留守番電話機能を制御するための制御情報を登録するＩＰ電話装置と、前記ＩＰ電話装置に割り当てられた電話番号に対応するＵＲＩが指定されたＮＡＰＴＲリソースレコードを登録し前記ＩＰ電話装置の問合せに応じてＮＡＰＴＲリソースレコードを返送するＥＮＵＭサーバと、を具備するＩＰ電話システムであって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する留守番電話機能を制御するための制御情報に応じて留守番電話機能を制御することを特徴とするＩＰ電話システム。
【手続補正６】
【補正対象書類名】特許請求の範囲
【補正対象項目名】請求項１５
【補正方法】変更
【補正の内容】
【請求項１５】
ＩＰネットワーク上のＩＰ電話装置に割り当てられた電話番号に対応するＵＲＩが指定されたＮＡＰＴＲリソースレコードを登録するＥＮＵＭサーバに接続され、自端末に割り当てられた電話番号に対応するＵＲＩ及び当該電話番号に対応して設定された留守番電話機能を制御するための制御情報を登録するＩＰ電話装置を用いた伝言メッセージ録音方法であって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する留守番電話機能を制御するための制御情報に応じて留守番電話機能を制御することを特徴とする伝言メッセージ録音方法。
【手続補正７】
【補正対象書類名】明細書
【補正対象項目名】０００７
【補正方法】変更
【補正の内容】
【０００７】
本発明は、ＩＰネットワークに接続されたＩＰ電話装置と、ＩＰ電話装置に割り当てられた電話番号に対応して設定された留守番電話機能を制御するための制御情報を登録するＷｅｂサーバと、Ｗｅｂサーバに登録された制御情報へのリンク情報がＵＲＩに指定されたＮＡＰＴＲリソースレコードを登録するＥＮＵＭサーバと、を備えるＩＰ電話システムにおいて、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する留守番電話機能を制御するための制御情報を前記Ｗｅｂサーバに要求し、返送された制御情報に応じて留守番電話機能を制御するようにしたものである。
【手続補正８】
【補正対象書類名】明細書
【補正対象項目名】０００９
【補正方法】変更
【補正の内容】
【０００９】
本発明の第１の態様に係るＩＰ電話システムは、ＩＰネットワークに接続されたＩＰ電話装置と、前記ＩＰ電話装置に割り当てられた電話番号に対応して設定された留守番電話機能を制御するための制御情報を登録し前記ＩＰ電話装置からの要求に応じて当該制御情報を応答するＷｅｂサーバと、前記Ｗｅｂサーバに登録された制御情報へのリンク情報がＵＲＩに指定されたＮＡＰＴＲリソースレコードを登録し前記ＩＰ電話装置の問合せに応じて当該ＮＡＰＴＲリソースレコードを返送するＥＮＵＭサーバと、を具備するＩＰ電話システムであって、着信を受けたＩＰ電話装置は、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する留守番電話機能を制御するための制御情報を前記Ｗｅｂサーバに要求し、返送された制御情報に応じて留守番電話機能を制御する構成を採る。
【手続補正９】
【補正対象書類名】明細書
【補正対象項目名】００１５
【補正方法】変更
【補正の内容】
【００１５】
本発明の第４の態様は、第１の態様に係るＩＰ電話システムにおいて、前記ＥＮＵＭサーバに登録されたＮＡＰＴＲリソースレコードにはｈｔｔｐプロトコルが設定され、前記着信を受けたＩＰ電話装置は、ｈｔｔｐプロトコルに従って前記着信対象の電話番号に対応する留守番電話機能を制御するための制御情報を前記Ｗｅｂサーバに要求する構成を採る。
【手続補正１０】
【補正対象書類名】明細書
【補正対象項目名】００１９
【補正方法】変更
【補正の内容】
【００１９】
本発明の第６の態様に係るＩＰ電話装置は、ＩＰネットワーク上のＩＰ電話装置に割り当てられた電話番号に対応して設定された留守番電話機能を制御するための制御情報を登録するＷｅｂサーバ及び前記Ｗｅｂサーバに登録された制御情報へのリンク情報がＵＲＩに指定されたＮＡＰＴＲリソースレコードを登録するＥＮＵＭサーバに接続されたＩＰ電話装置であって、ＩＰネットワーク上の他のＩＰ電話装置から着信を受けると、着信対象の電話番号に応じてＮＡＰＴＲリソースレコードを前記ＥＮＵＭサーバに問い合わせる問合せ手段と、返送されたＮＡＰＴＲリソースレコードのＵＲＩに指定されたリンク情報に基づいて前記着信対象の電話番号に対応する留守番電話機能を制御するための制御情報を前記Ｗｅｂサーバに要求する要求手段と、返送された制御情報に応じて留守番電話機能を制御する制御手段と、を具備する構成を採る。
【手続補正１１】
【補正対象書類名】明細書
【補正対象項目名】００２５
【補正方法】変更
【補正の内容】
【００２５】
本発明の第９の態様に係る伝言メッセージ録音方法は、ＩＰネットワーク上のＩＰ電話装置に割り当てられた電話番号に対応して設定された留守番電話機能を制御するための制御情報を登録するＷｅｂサーバ及び前記Ｗｅｂサーバに登録された制御情報へのリンク情報がＵＲＩに指定されたＮＡＰＴＲリソースレコードを登録するＥＮＵＭサーバに接続されたＩＰ電話装置を用いた伝言メッセージ録音方法であって、ＩＰネットワーク上の他のＩＰ電話装置から着信を受けると、着信対象の電話番号に応じてＮＡＰＴＲリソースレコードを前記ＥＮＵＭサーバに問い合わせ、返送されたＮＡＰＴＲリソースレコードのＵＲＩに指定されたリンク情報に基づいて前記着信対象の電話番号に対応する留守番電話機能を制御するための制御情報を前記Ｗｅｂサーバに要求し、返送された制御情報に応じて留守番電話機能を制御するものである。
【手続補正１２】
【補正対象書類名】明細書
【補正対象項目名】００２８
【補正方法】変更
【補正の内容】
【００２８】
本発明の第１２の態様に係るＩＰ電話システムは、自端末に割り当てられた電話番号に対応するＵＲＩ及び当該電話番号に対応して設定された留守番電話機能を制御するための制御情報を登録するＩＰ電話装置と、前記ＩＰ電話装置に割り当てられた電話番号に対応するＵＲＩが指定されたＮＡＰＴＲリソースレコードを登録し前記ＩＰ電話装置の問合せに応じてＮＡＰＴＲリソースレコードを返送するＥＮＵＭサーバと、を具備するＩＰ電話システムであって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する留守番電話機能を制御するための制御情報に応じて留守番電話機能を制御する構成を採る。
【手続補正１３】
【補正対象書類名】明細書
【補正対象項目名】００３４
【補正方法】変更
【補正の内容】
【００３４】
本発明の第１５の態様に係る伝言メッセージ録音方法は、ＩＰネットワーク上のＩＰ電話装置に割り当てられた電話番号に対応するＵＲＩが指定されたＮＡＰＴＲリソースレコードを登録するＥＮＵＭサーバに接続され、自端末に割り当てられた電話番号に対応するＵＲＩ及び当該電話番号に対応して設定された留守番電話機能を制御するための制御情報を登録するＩＰ電話装置を用いた伝言メッセージ録音方法であって、発信側のＩＰ電話装置から電話番号を指定してＮＡＰＴＲリソースレコードを前記ＥＮＵＭサーバに問い合わせ、返送されたＮＡＰＴＲリソースレコードに指定されたＵＲＩに基づいて発信し、着信側のＩＰ電話装置で前記発信側のＩＰ電話装置から特定されたＵＲＩに対応する留守番電話機能を制御するための制御情報に応じて留守番電話機能を制御するものである。
【手続補正１４】
【補正対象書類名】明細書
【補正対象項目名】００７７
【補正方法】変更
【補正の内容】
【００７７】
ＮＡＰＴＲ問合せを受け付けると、ＥＮＵＭサーバ１０３は、ドメイン名である「１．１．１．１．４．３．２．１．０．５．１．８．ｅ１６４．ａｒｐａ」に対応するＮＡＰＴＲレコードを検索し、当該ＮＡＰＴＲレコードを含む応答をＩＰ電話１０１に返送する（ＳＴ９０２）。以下、適宜、このＮＡＰＴＲレコードを含む応答を「ＮＡＰＴＲ応答」という。この場合、ＥＮＵＭサーバ１０３は、図６に示すＮＡＰＴＲレコードのうち、上側のドメイン名に属する２つのＮＡＰＴＲレコードを検索し、当該ＮＡＰＴＲレコードを含む応答をＩＰ電話１０１に返信する。
【手続補正１５】
【補正対象書類名】明細書
【補正対象項目名】００８６
【補正方法】変更
【補正の内容】
【００８６】
ＮＡＰＴＲ問合せを受け付けると、ＥＮＵＭサーバ１０３は、ドメイン名である「１．１．１．１．４．３．２．１．０．５．１．８．ｅ１６４．ａｒｐａ」に対応するＮＡＰＴＲレコードを検索し、当該ＮＡＰＴＲレコードを含む応答をＩＰ電話１０２に返信する（ＳＴ９０７）。この場合、ＥＮＵＭサーバ１０３は、ＳＴ９０２における処理と同様に、図６に示すＮＡＰＴＲレコードのうち、上側のドメイン名に属する２つのＮＡＰＴＲレコードを検索し、当該ＮＡＰＴＲレコードを含むＮＡＰＴＲ応答をＩＰ電話１０２に返信する。